(57)【特許請求の範囲】
【請求項１】
容器の口頸部に装着される蓋本体、上蓋、シャッタ部材及び可撓性流出管を具備し、
該蓋本体は容器の口頸部の頂面を覆う主壁を有し、該主壁には貫通孔が形成されていると共に該貫通孔の周縁から延出する延出管が形成されており、
該上蓋は天面壁を有し、該天面壁が該主壁の上方に位置するように該蓋本体に組み合わされ、
該蓋本体と該上蓋との少なくとも一方には、該主壁と該天面壁との間に位置する側面壁が形成されており、該側面壁には周方向に弧状に延在する主弧状開口が形成されており、
該シャッタ部材は周方向に延在する副弧状開口が形成されているシャッタ壁を有し、該副弧状開口が該主弧状開口から変位して位置して、該シャッタ壁が該主弧状開口を閉じる閉位置と、該副弧状開口が該主弧状開口と少なくとも部分的に重合する開位置との間を回転自在に該蓋本体及び該上蓋に組み合わされ、
該可撓性流出管は一端部が該主壁の該延出管に接続されて、該延出管から延在せしめられており、
該シャッタが該閉位置に位置せしめられると、該可撓性流出管が該シャッタ壁の作用によって弾性的に折り曲げられて、該主壁、該天面壁、該側面壁及び該シャッタ壁によって囲繞される空間内に収納され、該シャッタ部材が該開位置に位置せしめられると、該可撓性流出管が弾性的に復元せしめられて該主弧状開口及び該副弧状開口を通って外方に延出する、
ことを特徴とする容器蓋。
【請求項２】
該蓋本体には該主壁の周縁部から上方に突出する該側面壁が形成され、該側面壁には周方向に弧状に延在する該主弧状開口が形成されており、該上蓋にも該天面壁の周縁部から垂下する該側面壁が形成され、該側面壁には周方向に弧状に延在する該主弧状開口が形成されており、該上蓋の該側面壁が該蓋本体の該側面壁の内側に位置せしめられ、該蓋本体の該側面壁に形成された該主弧状開口と該上蓋の側面壁に形成された該主弧状開口とは相互に整合して位置せしめられている、請求項１記載の容器蓋。
【請求項３】
該上蓋の該天面壁の下面と該蓋本体の該主壁の上面との少なくとも一方には、該主弧状開口に沿って配置された少なくとも１個の案内柱が配置されており、該シャッタ部材が該閉位置に位置せしめられると、該可撓性流出管の延出部は該シャッタ壁と該案内柱との間を通って延びる、請求項１又は２記載の容器蓋。
【請求項４】
該シャッタ部材が該閉位置に位置せしめられると、該シャッタ壁と該案内柱の各々との間で該可撓性流出管が圧潰される、請求項３記載の容器蓋。
【請求項５】
該上蓋の該天面壁には、両端縁を規定する一対の端縁スリットと両側縁を規定する一対の側縁スリットによって区画されたロック片が形成されており、該一対の側縁スリットの各々の中間部にはスリット中断部が残留せしめられており、該ロック片は該中断部を介して該天面壁の他の部分に接続されており、該ロック片の先端部下面には該シャッタ部材が該閉位置に位置せしめられているときに該シャッタ部材に係合して該シャッタ部材が該閉位置から該開位置に向けて回転するのを阻止する係合突起が形成されており、該ロック片の基端部を押圧して該ロック片を該スリット中断部を中心として旋回動せしめて該ロック片の先端部を上昇せしめると、該係合突起が該シャッタ部材から離隔せしめられて、該シャッタ部材が該閉位置から該開位置に回転することが許容される、請求項１から４までのいずれかに記載の容器蓋。
【発明の詳細な説明】
【０００１】
【発明の属する技術分野】
本発明は、飲料を収容した容器に適用される、可撓性流出管を備えた容器蓋、特にベッドに寝たままの病人が飲料を摂取する場合、マラソン選手が走りながら飲料を摂取する場合、或いは自転車又は自動車を運転中の人が飲料を摂取する場合等に好適に使用される容器蓋に関する。
【０００２】
【従来の技術】
飲料を収容した容器に適用される容器蓋として、特公昭４２−１２５７３号公報には、容器の口頸部に装着される蓋本体とこの蓋本体に装着される外蓋とから構成された容器蓋が開示されている。蓋本体は容器の口頸部の頂面を覆う主壁を有する。かかる主壁には貫通孔が形成されていると共に、かかる貫通孔の周縁から延出する可撓性の流出管が一体に形成されている。外蓋は蓋本体に回転自在に装着されている。かかる外蓋は天面壁とこの天面壁の周縁から垂下する円筒形状の側面壁とを有する。側面壁には開口が形成されている。外蓋を開位置に位置せしめる、即ちその側面壁に形成されている開口を所定角度位置に位置せしめると、蓋本体に配設されている流出管が外蓋の開口を通して外方に延出せしめられる。従って、例えば流出管の先端部を口に銜えて吸引することによって、容器に収容されている飲料を摂取することができる。外蓋を上記開位置から適宜の方向に回転せしめると、外蓋の側面壁が流出管に作用することによって流出管が適宜に折り曲げられて外蓋の側面壁内に収納される。
【０００３】
【発明が解決しようとする課題】
而して、上述したとおりの従来の容器蓋には次のとおりの解決すべき問題が存在する。第一に、例えば容器の口頸部に蓋本体を螺着する形態の容器蓋、更に詳しくは容器の口頸部の外周面には雄螺条が形成され、蓋本体には主壁の周縁から垂下するスカート壁が形成されていて、このスカート壁の内周面に雌螺条が形成されており、この雌螺条を上記雄螺条に螺合せしめて容器の口頸部に蓋本体が装着される形態の容器蓋の場合、容器の口頸部に容器蓋を装着する際には容器の口頸部に対して容器蓋を回転せしめることが必要であるが、容器蓋の蓋本体を回転せしめんとしても蓋本体が外蓋によって覆われている故に、蓋本体のみを所要方向に回転せしめることができない。外蓋を回転せしめると、蓋本体に対して外蓋が回転されて開位置に位置せしめられ、これに起因して突出管が外方に突出せしめられてしまうという事態が発生する。かような次第であるので、容器の口頸部に蓋本体を螺着する形態の容器蓋には適用することができない。
【０００４】
第二に、外蓋に形成されている開口は外蓋を閉位置に位置せしめても閉じられることなく開口したままである。従って、かかる開口を通して埃等が容器蓋内に進入する虞があり、衛生的でない。
【０００５】
第三に、特に使用者が流出管の先端部を容易に銜えることができるようになすために流出管の延出長さを比較的長くした場合、外蓋を開位置から閉位置に回転せしめる際に流出管を充分円滑に折り曲げることができない傾向がある。蓋本体に流出管を一体に形成した場合には、蓋本体に必要な剛性に起因して流出管の可撓性が制限され、流出管の円滑な折り曲げが一層困難になる。
【０００６】
本発明は上述したとおりの事実に鑑みてなされたものであり、その主たる技術的課題は、容器の口頸部に蓋本体を螺着する形態の容器蓋にも、特に問題を発生せしめることなく適用可能であり、飲料を摂取しないときには流出管を延出せしめるための開口が実質上閉じられ、そしてまた流出管の延出長さが比較的長い場合でも流出管を充分円滑に折り曲げることができる、換言すれば上記第一の問題、第二の問題及び第三の問題が解決された、新規且つ改良された可撓性流出管を備えた容器蓋を提供することである。
【０００７】
【課題を解決するための手段】
本発明者等は鋭意研究の結果、容器蓋を容器の口頸部に装着される独特な形態の蓋本体、蓋本体に組み合わされる独特な形態の上蓋、蓋本体及び上蓋に組み合わされる独特な形態のシャッタ部材、及び蓋本体とは別個に可撓性材料から形成される流出管の４個の要素から構成することによって、上記主たる技術的課題を達成することができることを見出した。
【０００８】
即ち、本発明によれば、上記主たる技術的課題を達成する容器蓋として、容器の口頸部に装着される蓋本体、上蓋、シャッタ部材及び可撓性流出管を具備し、
該蓋本体は容器の口頸部の頂面を覆う主壁を有し、該主壁には貫通孔が形成されていると共に該貫通孔の周縁から延出する延出管が形成されており、
該上蓋は天面壁を有し、該天面壁が該主壁の上方に位置するように該蓋本体に組み合わされ、
該蓋本体と該上蓋との少なくとも一方には、該主壁と該天面壁との間に位置する側面壁が形成されており、該側面壁には周方向に弧状に延在する主弧状開口が形成されており、
該シャッタ部材は周方向に延在する副弧状開口が形成されているシャッタ壁を有し、該副弧状開口が該主弧状開口から変位して位置して、該シャッタ壁が該主弧状開口を閉じる閉位置と、該副弧状開口が該主弧状開口と少なくとも部分的に重合する開位置との間を回転自在に該蓋本体及び該上蓋に組み合わされ、
該可撓性流出管は一端部が該主壁の該延出管に接続されて、該延出管から延在せしめられており、
該シャッタが該閉位置に位置せしめられると、該可撓性流出管が該シャッタ壁の作用によって弾性的に折り曲げられて、該主壁、該天面壁、該側面壁及び該シャッタ壁によって囲繞される空間内に収納され、該シャッタ部材が該開位置に位置せしめられると、該可撓性流出管が弾性的に復元せしめられて該主弧状開口及び該副弧状開口を通って外方に延出する、
ことを特徴とする容器蓋が提供される。
【０００９】
好ましくは、該蓋本体には該主壁の周縁部から上方に突出する該側面壁が形成され、該側面壁には周方向に弧状に延在する該主弧状開口が形成されており、該上蓋にも該天面壁の周縁部から垂下する該側面壁が形成され、該側面壁には周方向に弧状に延在する該主弧状開口が形成されており、該上蓋の該側面壁が該蓋本体の該側面壁の内側に位置せしめられ、該蓋本体の該側面壁に形成された該主弧状開口と該上蓋の側面壁に形成された該主弧状開口とは相互に整合して位置せしめられている。該上蓋の該天面壁の下面と該蓋本体の該主壁の上面との少なくとも一方には、該主弧状開口に沿って配置された少なくとも１個の案内柱が配設されており、該シャッタ部材が該閉位置に位置せしめられると、該可撓性流出管の延出部は該シャッタ壁と該案内柱との間を通って延び、該シャッタ壁と該案内柱の各々との間で該可撓性流出管が圧潰されるのが好適である。所望ならば、該上蓋の該天面壁には、両端縁を規定する一対の端縁スリットと両側縁を規定する一対の側縁スリットによって区画されたロック片が形成されており、該一対の側縁スリットの各々の中間部にはスリット中断部が残留せしめられており、該ロック片は該中断部を介して該天面壁の他の部分に接続されており、該ロック片の先端部下面には該シャッタ部材が該閉位置に位置せしめられているときに該シャッタ部材に係合して該シャッタ部材が該閉位置から該開位置に向けて回転するのを阻止する係合突起が形成されており、該ロック片の基端部を押圧して該ロック片を該スリット中断部を中心として旋回動せしめて該ロック片の先端部を上昇せしめると、該係合突起が該シャッタ部材から離隔せしめられて、該シャッタ部材が該閉位置から該開位置に回転することが許容されるようになすことができる。
【００１０】
【発明の実施の形態】
以下、本発明に従って構成された容器蓋の好適実施形態を図示している添付図面を参照して、更に詳細に説明する。
【００１１】
図１には、本発明に従って構成された全体を番号２で示す容器蓋が図示されている。この容器蓋２は、蓋本体４、上蓋６、シャッタ部材８、可撓性流出管１０及び中栓１２から構成されている。蓋本体４、上蓋６、シャッタ部材８及び中栓１２は、夫々、ポリプロピレン又はポリエチレンの如き適宜の合成樹脂から成形することができる。可撓性流出管１０は、充分な可撓性及び復元性、そしてまた適宜の滑り性を有する材料、例えばシリコンゴム又はウレタンゴムの如き合成ゴムから形成することができる。
【００１２】
図１と共に図２乃至図４を参照して説明すると、図示の実施形態における蓋本体４は、実質上水平に延在する円形状の主壁１４を有する。この主壁１４の下面には、その周縁部から垂下する円筒状スカート壁１６が形成されている。スカート壁１６には周方向に延びる破断可能ライン１８が形成されており、スカート壁１６は破断可能ライン１８よりも上方の主部２０と破断可能ライン１８よりも下方のタンパーエビデント裾部２２とに区画されている。破断可能ライン１８は若干の間隔をおいて周方向に延びる複数個のスリット（切溝）とかかるスリット間に位置する複数個の橋絡部とを含む周知の形態でよい。スカート壁１６における主部２０の内周面には雌螺条２４が形成されている。タンパーエビデント裾部２２の内周面には複数個の係止手段２６が形成されている。係止手段２６の各々は、周方向に間隔をおいて配置され半径方向内方に向かって上方に傾斜して延びる突出片から構成することができる。スカート壁１６の内周面上端部には環状突起２８も形成されている。また、主壁１４の下面には、同心状の２条の環状突条３０も形成されている。
【００１３】
図１乃至図４を参照して説明を続けると、蓋本体４の主壁１４の上面には、その周縁部から上方に突出する側面壁３２が形成されている。この側面壁３２は弧状に延在せしめられており、側面壁３２の周方向両端縁間には弧状に延びる主弧状開口３４が形成されている。主弧状開口３４は周方向に９０乃至１８０度の角度範囲に渡って延在せしめられているのが好都合である。側面壁３２の両端縁の各々には半径方向内側に突出する拘束片３６が形成されている。また、側面壁３２の上端縁には、側面壁３２の周方向全長に渡って弧状に延びる比較的肉薄の係止片３８が形成されている。更に、側面壁３２の内周面には、側面壁３２の全長に渡って弧状に延びる溝条４０が形成されている。主壁１４の上面には、側面壁３２の内周に沿って弧状に延びる受溝４２が形成されている。主壁１４の上面には、受溝４２よりも幾分半径内側に位置する環状突起４４も形成されている。主壁１４の上面には、更に、環状突起４４よりも幾分半径内側に配置された４個の柱受突起４６も形成されている。低い円筒形状でよい柱受突起４６の内の３個は、側面壁３２の両端縁間に規定されている上記主弧状開口３４に沿って配置されており、残りの１個は側面壁３２の片端部に対応して配置されている。図２及び図３から明確に理解される如く、主壁１４の略中央部、更に詳しくは中心から幾分偏心せしめられた位置には、貫通孔４８が形成されている。そして、主壁１４の上面にはかかる貫通孔４８の周縁から延出する延出管５０が形成されている。図示の実施形態における延出管５０は、貫通孔４８の周縁から実質上鉛直に上方に延びる直立部５２と、この直立部５２の上端部から実質上水平に延びる水平部５４とを有する。水平部５４の先端は開口されているが、直立部５２の上端は閉じられている。円筒形状でよい水平部５４の先端部外周面には環状係止突条５６が形成されている。
【００１４】
図１乃至図３と共に図５及び図６を参照して説明を続けると、上蓋６は円形天面壁５８を有する。この天面壁５８の下面周縁部には下方に突出する比較的肉厚の突出壁６０が形成され、そして更にこの突出壁６０から下方に垂下する側面壁６２が形成されている。側面壁６２は弧状に延びており、側面壁６２の両端縁間には弧状に延びる主弧状開口６４が規定されている。主弧状開口６４も、蓋本体４の側面壁３２に形成されている主弧状開口３４と同様に、９０乃至１８０度の角度範囲に渡って延在せしめられているのが好都合である。側面壁６２の外周面には周方向に延びる突条６６が形成されている。上記突出壁６０の下面には、側面壁６２に沿って弧状に延びる係止溝６８も形成されている。係止溝６８の幅は、蓋本体４に形成されている上記係止片３８の肉厚に対応せしめられている。天面壁５８の下面には、側面壁６２よりも半径方向内側にて下方に突出する環状突起７０も形成されている。図６と共に図１及び図３を参照することによって理解される如く、天面壁５８の下面には、更に、周方向に間隔をおいて３個の案内柱７２と１個の規制柱７４が形成されている。円柱形状でよい３個の案内柱７２は、側面壁６０の両端縁間に規定されている主弧状開口６４に沿って配置されており、同様に円柱形状でよい１個の規制柱７４は側面壁６０の片端縁部に対応して配置されている。後に詳述する可撓性流出管１０の長さ等に応じて、３個の案内柱７２を配設することに代えて、１個又は２個或いは４個以上の案内柱を配設することもできる。天面壁５８の下面には、更に、所定間隔をおいて下方に垂下する一対の拘束柱７６と共に、比較的短かく且つ太い円柱形状である当接柱７８も形成されている。後に更に言及する如く、一対の拘束柱７６は蓋本体４における上記延出管５０の水平部５４に対応して配置され、当接柱７８は蓋本体４における上記延出管５０の鉛直部５２に対応して配置されている。
【００１５】
図１乃至図３を参照して説明を続けると、シャッタ部材８は円筒形状のシャッタ壁８０を有する。このシャッタ壁８０には周方向に弧状に延在する副弧状開口８２が形成されている。副弧状開口８２の周方向延在長さは、３０乃至５０度の角度範囲であるのが好適である。図示の実施形態における副弧状開口８２はシャッタ壁８０の下縁まで延在しているが、シャッタ壁８０の上縁までは延在しておらず、従ってシャッタ壁８０はその上縁部においては中断されることなく周方向に連続して延びている。シャッタ壁８０の肉厚は、上蓋６における突出壁６０と環状突起７０との間の間隔に対応せしめられている。図１と共に図３を参照することによって明確に理解される如く、シャッタ壁８０の外周面には、副弧状開口８２の片端に隣接して、半径方向外方に突出し、次いでシャッタ壁８０に沿って弧状に延びる操作片８４が付設されている。この操作片８４の外面には凹凸８６が形成されている。
【００１６】
図示の実施形態における蓋本体４、上蓋６、シャッタ部材８及び可撓性流出管１０は、例えば次のとおりにして組み合わされる。最初に、細長い円筒形状でよい可撓性流出管１０の一端部を、図３に明確に図示する如く、蓋本体４における延出管５０の水平部５４に被嵌して、延出管５０に接続する。この際には、流出管１０の一端部は弾性的に拡張せしめられて延出管５０の水平部５４の外周面に形成されている係止突条５６を通過せしめられる。シャッタ部材８は、図２及び図３を参照することによって理解される如く、蓋本体４の主壁１４の上面に形成されている環状突起４４の外側にシャッタ壁８０を位置せしめて、図３に実線で示す閉位置と図３に二点鎖線で示す開位置との管を回転自在に蓋本体４に組み合わされる。図３に実線で示す閉位置においては、シャッタ部材８の操作片８４における半径方向に延びる部分の外面が蓋本体４の側面壁３２の一端に当接し、これによってシャッタ部材８が図３において更に時計方向に回転することが阻止される。図３に二点鎖線で示す開位置においては、シャッタ部材８の操作片８４における半径方向に延びる部分の内面が蓋本体４の側面壁３２の他端に当接し、これによってシャッタ部材８が図３において更に反時計方向に回転することが阻止される。
【００１７】
図２及び図３を参照して説明を続けると、上蓋６はその側面壁６２を蓋本体４の側面壁３２とシャッタ部材８のシャッタ壁８０との間に位置せしめて、蓋本体４及びシャッタ部材８に組み合わされる。上蓋６の側面壁６２の下縁部は蓋本体４の主壁１４に形成されている受溝４２内に挿入され、蓋本体４の側面壁３２の上縁に形成されている係止片３８は上蓋６の突出壁６０に形成されている係止溝６８に挿入され、そして蓋本体４の側面壁３２の内周面に形成されている溝条４０に上蓋６の側面壁６２の外周面に形成されている突条６６が係合せしめられ、かくして蓋本体４に対して上蓋６が所要関係に固定される。図３を参照することによって明確に理解される如く、蓋本体４の側面壁３２に形成された主弧状開口３４と上蓋６の側面壁６２に形成された主弧状開口６４とは相互に整合して位置せしめられている。蓋本体４に対する上蓋６の回転は、上蓋６の側面壁６２が蓋本体４の側面壁３２の両端に配設された拘束片３６間に拘束されることによって阻止される。蓋本体４に流出管１０及びシャッタ部材８を組み合わせた後に上蓋６を所要とおりに組み合わせると、図２に明確に図示する如く、上蓋６の天面壁５８から垂下する３個の案内柱７２及び規制柱７４の下端部が、蓋本体４の主壁１４に形成されている４個の柱受突起４６の各々に挿入される。また、上蓋６の天面壁５８の下面に配設されている当接柱７８が、蓋本体４に配設されている延出管５０の直立部５２の上面に当接せしめられる。従って、蓋本体４に上蓋６を所要とおりに組み合わせた状態においては、上蓋６の天面壁５８に加えられる力は、案内柱７２、規制柱７４と共に当接柱７８を介して蓋本体４に伝えられる。図３に明確に図示する如く、上蓋６の天面壁５８から垂下する一対の拘束柱７６は、延出管５０の水平部５４に被嵌された流出管１０の一端部を、水平部５４に形成されている係止突条５６よりも後方（図３において上方）で挟持し、かくして延出管５０から流出管１０が偶発的に離脱してしまうことが充分確実に防止される。
【００１８】
蓋本体４及び上蓋６に組み合わされたシャッタ部材８が図３に二点鎖線で図示する開位置に位置せしめられている時には、シャッタ部材８のシャッタ壁８０に形成されている副弧状開口８２は、蓋本体４の側面壁３２に形成されている主弧状開口３４及び上蓋６の側面壁６２に形成されている主弧状開口６４と重なり合って位置せしめられている。そして、可撓性流出管１０は、図３に二点鎖線で図示する如く、延出管５０の水平部５４に続いて実質上真直に延び、上蓋６の主弧状開口６４、蓋本体４の主弧状開口３４及びシャッタ部材８の副弧状開口８２を通って外方に延出している。シャッタ部材８を図３に二点鎖線で示す開位置から図３に実線で示す閉位置に図３において時計方向に回転せしめると、シャッタ部材８のシャッタ壁８０が流出管１０の延出部分に作用し、３個の案内柱７２の各々と順次に協働して流出管１０の延出部分を漸次折り曲げる。シャッタ部材８が図３に実線で示す閉位置まで回転せしめられると、シャッタ壁８０に形成されている副弧状開口８２は蓋本体４の側面壁３２及び上蓋６の側面壁６２によって覆われ、蓋本体４の主弧状開口３４及び上蓋６の主弧状開口６４はシャッタ部材８のシャッタ壁８０によって閉じられる。そして、延出部分が漸次折り曲げられた流出管１０はその全体が、蓋本体４、上蓋６及びシャッタ部材８によって囲繞された空間内に収容される。図３に明確に図示する如く、３個の案内柱７２の各々とシャッタ壁８０との間においては、流出管１０は圧潰される。シャッタ部材８を図３に実線で示す閉位置から図３に二点鎖線で示す開位置まで図３において反時計方向に回転せしめると、シャッタ壁８０の副弧状開口８２が蓋本体４の主弧状開口３４及び上蓋６の主弧状開口６４と重なり合い、可撓性流出管１０はその先端部から順次にシャッタ壁８０から開放され、それ自身の弾性復元力によって再び、図３に二点鎖線で図示する如く、延出管５０の水平部５４に続いて実質上真直に延び、上蓋６の主弧状開口６４、蓋本体４の主弧状開口３４及びシャッタ部材８の副弧状開口８２を通って外方に延出する状態に戻される。上蓋６に配設されている規制柱７４は、シャッタ部材８が閉位置から開位置に回転せしめられる際に、流出管１０の延出部分がシャッタ壁８０の移動に随伴して過剰に移動せしめられ、図３に二点鎖線で示す状態を越えて図３において更に右方に移動されてしまうのを防止する。図示の実施形態においては、蓋本体４と上蓋６との双方に、主弧状開口３４及び６４が形成されている側面壁３２および６２を配設しているが、所望ならば側面壁３２と側面壁６２とのいずれか一方を省略することもできる。
【００１９】
図１及び図２を参照して説明すると、図示の容器蓋２は中栓１２も含んでおり、容器蓋２を容器の口頸部に適用するに先立って、蓋本体４に中栓１２が組み合わされる。中栓１２は、円形底壁８８とこの円形底壁８８の周縁から上方に延びる円筒状の側面壁９０を含んでいる。側面壁９０の内周面には引っ張りリング９２が接続されている。側面壁９０の外周面上端部には、半径方向外側に突出する環状フランジ９４が形成され、そして更にこの環状フランジ９４の上端縁から半径方向外方に突出する薄肉フランジ９５が形成されている。かような中栓１２は、その薄肉フランジ９５を蓋本体４におけるスカート壁１６の内周面上端部に弾性的に係止せしめることによって、比較的弱く、還言すれば小さい力で容易に離脱され得るように、蓋本体４に保持される。
【００２０】
図１乃至図３と共に図７を参照して説明を続けると、中栓１２が組み合わされ、シャッタ部材８が閉位置に位置せしめられた容器蓋２は、ポリエチレンテレフタレートの如き適宜の合成樹脂から形成することができる容器９６の口頸部９８に装着される。容器９６の口頸部９８は略円筒形状であり、その外周面には雄螺条１００とその下方に位置する係止あご部１０２が形成されている。容器蓋２は、その蓋本体４を口頸部９８に被嵌し、閉方向即ち図２及び図７において上方から見て時計方向に回転せしめることによって、口頸部９８に装着される。この際には、それ自身は周知の形態でよい蓋締め機の回転チャックによって、例えば蓋本体４の側面壁３２を把持して蓋本体４を（従って上蓋６、シャッタ部材８、流出管１０及び中栓１２も）所定方向に回転せしめることができる。蓋本体４のスカート壁１６における主部２０の内周面に形成されている雌螺条２４が口頸部９８の雄螺条１００に螺合せしめられ、タンパーエビデント裾部２２に形成されている係止手段２６が弾性的に変形せしめられて係止あご部１０２を通過し、その下方に係止せしめられる。蓋本体４に組み合わされた中栓１２は、その環状フランジ９４が口頸部９８の頂面に密接せしめられ、その側面壁９０の外周面が口頸部９８の内周面に密接せしめられる。
【００２１】
例えば液体飲料である容器９６の内容物を飲む際には、蓋本体４の側面壁３２に指を掛けて容器蓋２を開方向即ちに図７において上方からみて反時計方向に回転せしめる。かくすると、蓋本体４の雌螺条２４が口頸部９８の雄螺条１００に沿って移動せしめられる故に、タンパーエビデント裾部２２を除いて蓋本体４、上蓋６、シャッタ部材８及び流出管１０は、回転と共に上昇せしめられる。一方、蓋本体４のタンパーエビデント裾部２２は係止手段２６が口頸部９８の係止あご部１０２に係止されているが故に上方に移動することが阻止され、かくしてスカート壁１６に形成されている破断可能ライン１８が破断されて、タンパーエビデント裾部２２がスカート壁１６の主部２０から分離される。破断可能ライン１８のかかる破断によって、容器蓋２が操作されたことが明示され、所謂タンパーエビデント特性が補償される。タンパーエビデント裾部２２を残留せしめて、蓋本体４のその他の部分、上蓋６、流出管１０、シャッタ部材８は口頸部から離脱される。一方、中栓１２は上述した如く小さな力で容易に離脱され得るように蓋本体４に組み合わされているので、蓋本体４から離脱せしめられて口頸部９８に残留せしめられる。しかる後に、引っ張りリング９２に指を掛けて中栓１２を口頸部９８から離脱せしめて口頸部９８を開封する。次いで、中栓１２が離脱された口頸部９８に容器蓋２を再び装着、即ち蓋本体４を口頸部９８に被嵌して閉方向に回転せしめ、蓋本体４のスカート壁１６に形成されている雌螺条２４を口頸部９８の雄螺条１００に螺合せしめる。かくすると、図８に図示する如く、蓋本体４の主壁１４の下面に形成されている環状突条３０が口頸部９８の頂面に当接せしめられ、これによって口頸部９８が密封される。しかる後にシャッタ部材８の操作片８４（図１及び図３）に指を掛けて、図３に実線で示す閉位置から図３に二点鎖線で示す開位置に図３において反時計方向に回転せしめる。かくすると、上述した如く、シャッタ部材８の副弧状開口８２が蓋本体４の主弧状開口３４及び上蓋部材６の主弧状開口６４と重なり合い、流出管１０がその先端部から順次にシャッタ部材から開放され、それ自身の弾性復元力によって図３に二点鎖線で図示すると共に図８に図示する如く実質上真直に延び、上蓋６の主弧状開口６４、蓋本体４の主弧状開口３４及びシャッタ部材８の副弧状開口８２を通って外方に延出する状態になる。流出管１０が図３に二点鎖線で図示すると共に図８に図示する状態にせしめられると、折り曲げによる閉塞が解除される。従って、流出管１０の先端部を口に銜えて吸引することにより、容器９６に収容されている飲料を呑むことができる。流出管１０は充分に長く延在せしめられ、それ故に充分容易にその先端部を銜えることができる。必要に応じて、容器９６の主部を幾分押潰して容器９６からの飲料の排出を促進することもできる。所要量の飲料を飲んだ後においては、シャッタ部材８の操作片８４（図１及び図３）に指を掛け、図３に二点鎖線で示す開位置から図３に実線で示す閉位置に図３において時計方向に回転せしめる。かくすると、上述した如く、シャッタ壁８０が流出管１０の延出部分に作用し、３個の案内柱７２と順次に協働して流出管１０の延出部分を漸次折り曲げる。かくして、流出管１０は比較的長いにもかかわらず、漸次円滑に折り曲げられて、蓋本体４の主壁１４及び上蓋６の天面壁５８と共に蓋本体４の側面壁３２、上蓋６の側面壁６２及びシャッタ部材８のシャッタ壁８０によって囲繞された空間内に収納される。流出管１０はシャッタ壁８０と３個の案内柱７２との間にて圧潰され、従って流出間１０を通しての内容物の排出が充分確実に密封され、衝撃が作用しても充分な密閉が維持される。また、シャッタ部材８の副弧状開口８２は上蓋６の側面壁６２及び蓋本体４の側面壁３２によって閉じられ、蓋本体４の主弧状開口３４及び上蓋６の主弧状開口６４はシャッタ部材８のシャッタ壁８０によって閉じられる。従って、流出管１０が収納された空間は外部から閉塞され、不使用時に流出管１０に埃等が付着することが充分確実に防止される。
【００２２】
図９乃至図１１は上蓋及びシャッタ部材の変形実施形態を図示している。図９乃至図１１に図示する上蓋２０６においては、天面壁２５８にはロック片２０３形成されている。このロック片２０３は両端縁を規定する一対の端縁スリット２０５と両側縁を規定する一対の側縁スリット２０７によって区画されている。一対の側縁スリット２０７の中間部にはスリット中断部２０９が残留せしめられており、かかるスリット中断部２０９によってロック片２０３が天面壁２５８の他の部分に接続されている。図１０に明確に図示する如く、ロック片２０３の先端部の下面には下方に突出する係合突起２１１が形成されている。かようなロック片２０３は通常は図１１に実線で示すロック位置に位置せしめられているが、その基端部を押圧することによって、その先端部、即ち係合突起２１１が配設されている端部が上昇せしめられるロック解除位置に、上記スリット中断部２０９を中心として旋回動せしめることができる。上蓋２０６においては、上述した実施形態における上蓋６に配設されていた拘束柱７６及び当接柱７８が省略されている（図２及び図６を参照されたい）。上蓋２０６のその他の構成は上述した実施形態における上蓋６と実質上同一である。一方、図１１に図示する如く、シャッタ部材２０８のシャッタ壁２８０の上縁には、ロック切欠２１３が形成されている。シャッタ部材２０８が図１１に実線で示す閉位置に位置せしめられると、ロック片２０３の先端部に形成されている係合突起２１１がシャッタ壁２８０の係合切欠２１３に係合せしめられ、これによってシャッタ部材２０８が閉位置にロックされ、シャッタ部材２０８が閉位置から偶発的に回転してしまうことが確実に防止される。ロック片２０３の基端部を押圧して図１１に二点鎖線で示すロック解除位置に旋回せしめると、シャッタ部材２０８のロックが解除され、シャッタ部材２０８を実線で示す閉位置から二点鎖線で示す開位置に移動せしめることが許容される。
【００２３】
【発明の効果】
本発明の容器蓋においては、容器蓋の蓋本体を直接的に把持することができ、従って必要に応じて蓋本体を回転せしめ容器の口頸部に装着することができる。また、シャッタ部材を閉位置に回転せしめると、シャッタ部材の副弧状開口が閉じられると共に蓋本体と上蓋の少なくとも一方に形成されている主弧状開口も閉じられ、流出管は閉じた空間内に収納され埃等の付着から防護される。更に、流出管を比較的長くしても、シャッタ部材を閉位置に回転せしめる際に流出管の延出部分を充分円滑に漸次折り曲げることができる。
【図面の簡単な説明】
【図１】本発明に従って構成された容器蓋の好適実施形態を示す分解斜面図。
【図２】図１に示す容器蓋の縦断面図。
【図３】図１に示す容器蓋の横断面図。
【図４】図１に示す容器蓋における蓋本体を示す平面図。
【図５】図１に示す容器蓋における上蓋を示す断面図。
【図６】図１に示す容器蓋における上蓋を示す底面図。
【図７】図１に示す容器蓋を容器の口頸部に装着した状態を示す縦断面図。
【図８】図７に示す状態から、蓋本体のタンパーエビデント裾部を残留せしめて蓋本体、上蓋、シャッタ部材及び流出管を容器の口頸部から離脱せしめ、中栓を容器の口頸部から離脱せしめ、しかる後に蓋本体、上蓋、シャッタ部材及び流出管を再び容器の口頸部に装着し、次いでシャッタ部材を開位置に位置せしめて、流出管を延出した状態を示す縦断面図。
【図９】上蓋の変形例を示す平面図。
【図１０】図９の上蓋に配設されているロック片を示す部分断面図。
【図１１】図９の上蓋と共にシャッタ部材の変形例を示す斜面図。
【符号の説明】
２：容器蓋
４：蓋本体
６：上蓋
８：シャッタ部材
１０：流出菅
１２：中栓
１４：蓋本体の主壁
１６：蓋本体のスカート壁
１８：破断可能ライン
２０：蓋本体のスカート壁の主部
２２：蓋本体のスカート壁のタンパーエビデント裾部
２４：雌螺条
２６：係止手段
３２：蓋本体の側面壁
３４：蓋本体の主弧状開口
４８：蓋本体の貫通孔
５０：延出管
５８：上蓋の天面壁
６２：上蓋の側面壁
６４：上蓋の主弧状開口
７２：案内柱
７４：規制柱
８０：シャッタ壁
８２：シャッタ部材の副弧状開口
９６：容器
９８：容器の口頸部
１００：雄螺条
１０２：係止あご部
２０３：ロック片
２０５：端縁スリット
２０６：上蓋
２０７：側縁スリット
２０８：シャッタ部材
２０９：スリット中断部
２１１：係合突起
２１３：ロック切欠
【図１】
0004405023.tif 000002
【図２】
0004405023.tif 000003
【図３】
0004405023.tif 000004
【図４】
0004405023.tif 000005
【図５】
0004405023.tif 000006
【図６】
0004405023.tif 000007
【図７】
0004405023.tif 000008
【図８】
0004405023.tif 000009
【図９】
0004405023.tif 000010
【図１０】
0004405023.tif 000011
【図１１】
0004405023.tif 000012